(57)【特許請求の範囲】
【請求項１】
ベースプレートと、該ベースプレート上に互いに平行に配置されかつ該ベースプレートに回転可能に支承された少なくとも１列の複数のローラと、前記ベースプレートに設けられ、各ローラの両側を該ローラの長手方向へ伸びる１対の仕切り壁と、各仕切り壁に設けられ、該仕切り壁から各ローラの頂面に向けて張り出す、弾性変形可能の１または複数の張出しとを備え、
前記張り出しは、前記仕切り壁に近接する基部分と、該仕切り壁から張り出した先端部分と有し、前記張り出しの肉厚は、前記基部分から前記先端部分に向けて漸減している、商品陳列用具。
【請求項２】
各ローラはその各端部に軸を有し、また、前記ベースプレートは上端開放の切欠きがそれぞれ設けられた一対の支持壁を有し、各ローラの前記軸は前記切欠きに受け入れられている、請求項１に記載の商品陳列用具。
【請求項３】
前記支持壁は前記仕切り壁と交差しかつこれに連なっている、請求項２に記載の商品陳列用具。
【発明の詳細な説明】
【０００１】
【発明の属する技術分野】
本発明は商品陳列具に関し、より詳細には、缶やボトル、紙パック等に詰められた飲料のような容器入り商品の陳列のために用いられる商品陳列具に関する。
【０００２】
【従来の技術】
店舗内のショーケースや陳列棚に商品陳列具を配置し、この上に複数の容器入り商品を並べることが行われている。これによれば、１つの容器入り商品を取り出すとその取り出し跡に他の同種商品が搬送され、補充される。
【０００３】
従来の商品陳列具は、ベースプレートと、該ベースプレート上に互いに平行に配置されかつ該ベースプレートに回転可能に支承された少なくとも１列の複数のローラとを備え、前記ベースプレートは各ローラの上部の突出を許す複数の開口を有するカバープレートで覆われている。
【０００４】
商品陳列具は、通常、ショーケースや陳列棚上にこれらの手前に向けて下り傾斜となるように載置され、カバープレートから露出するローラ上に載せられ、前傾姿勢をとる容器入り商品は、その自重により、ローラの回転とカバープレート上における滑動とにより、ローラの配列方向へ移動する。ローラ相互間のギャップを塞ぐカバープレートは、容器入り商品の過剰な傾きを抑え、滑らかな移動を保証する。
【０００５】
ところで、商品陳列具は食品の陳列に供されるものであるため、これを清潔な状態に維持すべく清掃が容易であることが求められる。また、その機能発揮の上から、例えば回転不良をおこしたローラを簡単に交換することが望ましい。
【０００６】
前記従来の商品陳列具にあっては、ベースプレート上にローラを回転可能に保持する必要からカバープレートが用いられ、またカバープレートはベースプレートにこれから容易に外れないように比較的堅固に取り付けられている。
【０００７】
しかし、カバープレートの存在は商品陳列具の部品点数を増やし、構造を複雑にするものであり、商品陳列具の容易な清掃、部品交換等の作業の妨げとなっている。また、カバープレートは、商品陳列具の製作コストの増大要因ともなっている。
【０００８】
【発明が解決しようとする課題】
したがって、本発明の目的は、簡単な構造の商品陳列具を提供することにある。
【０００９】
【課題を解決するための手段】
本発明に係る商品陳列具は、ベースプレートと、該ベースプレート上に互いに平行に配置されかつ該ベースプレートに回転可能に支承された少なくとも１列の複数のローラと、前記ベースプレートに設けられ各ローラの両側を該ローラの長手方向へ伸びる１対の仕切り壁と、各仕切り壁に設られ該仕切り壁から各ローラの頂面に向けて張り出す弾性変形可能の１または複数の張出しとを備える。前記張り出しは、前記仕切り壁に近接する基部分と、該仕切り壁から張り出した先端部分と有し、前記張り出しの肉厚は、前記基部分から前記先端部分に向けて漸減している。
【００１０】
本発明の実施の１形態において、各ローラはその各端部に軸を有し、また、前記ベースプレートは上端開放の切欠きからなる軸受がそれぞれ設けられた一対の支持壁を有し、各ローラの前記軸がそれぞれ前記軸受に受け入れられている。また、前記支持壁は前記仕切り壁と交差しかつこれに連なっている。
【００１１】
【発明の作用および効果】
本発明によれば、複数のローラを回転可能に支承するベースプレートに各ローラの仕切り壁を設け、該仕切り壁から各ローラの頂面に向けて張り出す張出しを設けたことから、各ローラについて、両仕切り壁相互間における独立した回転運動と、前記ベースプレートからの分離または脱落の阻止とを確保することができる。
【００１２】
したがって、ベースプレートに各ローラの保持するのに前記従来のカバープレートを必要とせず、商品陳列用具の構造を従来に比べて単純なものとすることができる。
【００１３】
また、前記従来のカバープレートを不要とすることにより、商品陳列具の部品点数の削減および部品を組み立てる工程の削減を実現することができ、これにより、商品陳列具の製造コストを著しく低減することができる。さらに、ベースプレート、仕切り壁、張出しおよび支持壁はプラスチック材料による一体成形が可能であり、これにより、さらなる製造コストの低減を図ることができる。
【００１４】
本発明の商品陳列用具にあっては、ベースプレートが従来のようにカバープレートで覆われておらず、オープン状態にあるため、清掃が容易である。また、各ロールを両仕切り板相互間に保持する作用をなす張出しに弾性変形を生じさせることにより、各ロールの取外しおよび取付けを容易に行うことができ、これにより、ローラの迅速な交換作業が可能である。
【００１５】
各ローラをその両端部の軸で支えることにより、ローラの周面で支える場合と比べて該ローラをより小さい力で回転させることができ、また、ローラの両軸を前記ベースプレートに設けられた支持壁の切欠きで支承することにより、ローラを回転以外の運動をしないように一方向に整列させることができる。
【００１６】
前記仕切り壁および前記支持壁はベースプレートの補強リブとしての作用をもなすところ、これらの壁が互いに連なるものとすることにより、ベースプレートに対する補強の程度をより高めることができる。
【００１７】
【発明の実施の形態】
図１を参照すると、本発明に係る商品陳列用具が全体に符号１０で示されている。
【００１８】
缶やボトル、紙パック等に詰められた飲料のような容器入り商品１２（図２）を陳列するために用いられる商品陳列用具１０は、ベースプレート１４と、ベースプレート１４上に互いに平行に配置された、少なくとも１列（図示の例では４列）の複数のローラ１６とを備える。
【００１９】
図示のベースプレート１４は全体に格子状を呈するフレームからなる。ベースプレート１４は平板からなるものであってもよいが、重量軽減において、前記格子状のものが有利である。
【００２０】
ベースプレート１４には前記格子と平行に縦横に伸びる２種類の壁１８，２０が設けられている。
【００２１】
一方の壁１８は各ローラ１６の両側方にあって該ローラの長手方向へ伸びる１対の仕切り壁からなる。また、他方の壁２０は各ローラの両端の側にあって該ローラを回転可能に支承する１対の支持壁からなる。図示の例では、複数の仕切り壁１８のうちの一部と、複数の支持壁２０の全部とが前記格子上をこれに沿って伸びかつこれに連なっている。
【００２２】
隣接する１対の仕切り壁１８と１対の支持壁２０とは互いに連なりかつ一体をなし、矩形の平面形状を有する、ローラ１６のための配置空間を規定している。
【００２３】
両仕切り壁１８は、ローラ１６の回転運動を妨げない限りにおいて、ローラ１６に近接していることが望ましい。
【００２４】
各列におけるローラ１６相互の間隔は、仕切り壁１８の厚さ寸法の設定により任意に設定することができる。比較的大きい厚い寸法とするときは、ローラ１６の配置数量を少なくすることができる。これは、商品陳列用具１０の製造コストの低減に寄与する。
【００２５】
各列における互いに隣接する両ローラ１６の支持壁２０は互いに連なっている。
【００２６】
各支持壁２０は上端開放の「Ｕ」形の切欠き２２を有する。図示の例では、切欠き２２は、支持壁２０の一部を他の一部より薄肉に形成することにより形成されている。厚肉である支持壁２０の他の一部には仕切り壁１８が連なっている。
【００２７】
各ローラ１６はその両端部に一対の軸２４をそれぞれ有し、両軸２４はそれぞれ両支持壁２０の切欠き２２に回転可能に受け入れられている。
【００２８】
切欠き２２の深さ寸法は、軸２４を切欠き２２に受け入れられたローラ１６の周面の一部（後記頂面２８）がローラ１６を取り囲む両仕切り壁１８の頂面および両支持壁２０の頂面からわずかに突出するように設定されている（図２参照）。これにより、商品陳列具１０上に載置された商品１２はその底面においてローラ１６に接し、ローラ１６の回転に伴う該ローラの配列方向への移動が可能である。
【００２９】
また、切欠き２２は、該切欠き内における軸２４の振れを最小限にすべく、軸２４の直径よりわずかに大きい幅寸法に設定されている。
【００３０】
ローラ１６をその外径より小さい直径の軸２４において支承することにより、ローラ１６をその周面において支承する場合と比べ、ローラ１６の摩擦による回転抵抗を小さいものとすることができるため、ローラ上１６の商品１２の移動をより円滑にすることができる。
【００３１】
各仕切り壁１８には１つの張出し２６が設けられている。
【００３２】
張出し２６は、仕切り壁１８からこれに隣接するローラ１６の頂面２８に向けて張り出している。すなわち、張出し２６は、ローラ１６の中心部より上方位置にあって、ローラ１６の回転を阻害しないように該ローラに接する直前で終端している。
【００３３】
したがって、両切欠き２２を軸受としてこれらに支持された各ローラ１６は、両仕切り壁１８および両支持壁２０が規定する前記空間の開放面を部分的に覆い隠す両張出し２６により、前記空間外への抜け出しを阻止される。
【００３４】
商品陳列具１０は、通常、該商品陳列具が配置される前記ショーケースや陳列棚における手前に向けて下がり勾配となるように設置される。このため、商品陳列具１０上の各商品１２は前傾姿勢状態におかれ、商品陳列具１０上から商品１２を取り出すと、その奥にある他の商品１２がその自重のために前記ローラ２６、仕切り壁１８（商品１２の大きさによってはさらに支持壁２０の頂面）、２０の頂面および張出し２６上を前記商品の取り出し跡まで移動する。
【００３５】
このとき、ローラ１６は次々に回転し、仕切り壁１８の頂面および張出し２６は商品１２の底部の滑動を許す。張出し２６は、また、ローラ１６の両側方に不可避的に生じるギャップの一部を覆っており、移動時に前傾する商品１２の底部前端の前記ギャップへの落ち込みと、これに伴う商品１２の移動停止または倒れを防止する。
【００３６】
張出し２６は、また、弾性変形可能である。好ましくは、張出し２６は、ベースプレート１４、仕切り壁１８および支持壁２０と共にプラスチック材料で一体成形される。プラスチック材料を用いての前記一体成形により、これらの部品をを別個に形成し、組み立てる場合と比べて、商品陳列具１０の製造コストを著しく低減することができる。
【００３７】
張出し２６が弾性変形可能であることから、ローラ１６を両張出し２６に押し付け、該張出しを弾性変形させることにより、両仕切り壁１８および両支持壁２０が規定する前記空間内に押し入れかつその軸２４を切欠き２２に押し込むことができる。
【００３８】
また、逆に、ローラ１６に引き上げ力を及ぼすことにより、前記張出しを反対側へ弾性変形させ、ローラ１６を前記空間から取り出すことができる。
【００３９】
このことから、ベースプレート１４上へのローラ１６の配置、すなわち商品陳列具１０の組み立てを簡易に行うことができる。また、破損や劣化に伴うローラ１６の交換も容易に行うことができる。
【００４０】
さらに、商品陳列具１０には密閉された空間がなく、ローラ１６と仕切り壁１８および支持壁２０との間に隙間が存するため、例えば圧力水や高圧空気の吹き付けによる清掃により、その隅々まできれいにすることが比較的容易に行うことができる。
【００４１】
各仕切り壁１８に設けられる張出し２６は、その数量を単一とすることに代えて２以上の複数とすることができる。
【００４２】
図示の単一の張出し２６は、各仕切り壁１８のほぼ中央部からその両端に向けて伸びる比較的長い長さ寸法と、比較的厚い厚さ寸法とを有するが、図３および図４に示すように、複数の張出しとするときは、ローラ１６の配置または取り出しの際の弾性変形に要する力の増大を抑えるため、これらの張出しを比較的短い長さ寸法と、比較的薄い厚さ寸法とを有するものとすることが望ましい。
【００４３】
図３および図４に示す例にあっては、また、両仕切り壁１８の一方に２つの張出し２６が設けられ、他の一方に単一の張出し２６が設けられている。２つの張出し２６はローラ１６の長手方向に関して互いに間隔をおいて配置され、単一の張出し２６はこれらの両張出し相互間部分に相対するように配置されている。
【００４４】
また、図３および図４に示す張出し２６は、その横断面形状が直角三角形に設定され、仕切り壁１８に近接する基部分からその先端部分に向けて漸減する肉厚を有する。
【００４５】
これにより、張出し２６に、前記空間にローラ１６を確実に保持しかつ弾性変形によって破損しにくい性質を付与することができる。
【００４６】
張出し２６は、図に示す例に限らず、任意の横断面形状のものを選択することができる。
【００４７】
なお、符号２８，３０は、複数の商品陳列用具１０同士を互いに連結するための鉤状の突起およびこれを受け入れ可能の凹所とを示す。
【図面の簡単な説明】
【図１】本発明に係る商品陳列用具の一部を省略した斜視図である。
【図２】容器入り商品を載せた状態における商品陳列用具の部分横断面図である。
【図３】他の例の張出しを有する商品陳列用具の部分平面図である。
【図４】図３に示す商品陳列用具の部分横断面図である。
【符号の説明】
１０  商品陳列用具
１２  容器入り商品
１４  ベースプレート
１６  ローラ
１８  仕切り壁
２０  支持壁
２２  切欠き（軸受）
２４  ローラの軸
２６  張出し
２８  ローラの頂面
【図１】
0004649048.tif 000002
【図２】
0004649048.tif 000003
【図３】
0004649048.tif 000004
【図４】
0004649048.tif 000005